(57)【要約】【課題】文書の「章」に相異なるサイズの出力用紙を設定する。【解決手段】文書属性と章属性の「出力用紙サイズ」において、ともに複数の用紙サイズが設定されている場合には、当該章には設定された範囲で、複数の用紙サイズ（混載）を含めることができる。そのため、属性が変更された場合、文書と章について混載が設定されていると、当該章の各原稿ページデータについてその原稿ページのサイズを取得し、それに基づいて設定された出力用紙サイズの内、妥当なサイズを決定する（ステップＳ１８０６，Ｓ１８０７）。最後に、決定された出力サイズに合わせて、原稿ページをプレビュー表示する（Ｓ１８０８）。これは印刷出力時にも同様である。【選択図】図１８
2005149212.tif 000002
【特許請求の範囲】
【請求項１】
文書をページ、章、文書全体とする単位で階層的に保持することができ、且つ文書の印刷体裁を設定する文書処理装置における文書処理方法であって、
文書内の１つの章に対する出力用紙サイズとして、用紙混載を設定する章属性設定工程と、
文書の原稿ページデータの原稿用紙サイズを取得する取得工程と、
前記取得工程で取得した原稿用紙サイズの原稿ページデータの出力用紙サイズに基づいて、原稿ページデータをページ単位に、前記章属性設定工程で設定された用紙混載で特定される複数の出力用紙サイズのいずれかに設定する出力用紙サイズ設定工程と
を含むことを特徴とする文書処理方法。
【請求項２】
文書全体に対する出力用紙サイズを設定する文書属性設定工程を更に含み、
前記章属性設定工程は、前記文書属性設定工程で用紙混載が設定されている場合にのみ、用紙混載を設定可能であることを特徴とする請求項１記載の文書処理方法。
【請求項３】
文書をページ、章、文書全体とする単位で階層的に保持することができ、且つ文書の印刷体裁を設定する印刷設定アプリケーションに対して、文書ファイルがインポートされた場合に、出力用紙サイズ及び印刷設定をそれぞれ定義する複数のテンプレートのいずれを用いるかを選択させるテンプレート選択工程を更に含み、
前記テンプレート選択工程で用紙混載の出力用紙サイズ及び印刷設定を定義するテンプレートが選択指示された場合に、前記出力用紙サイズ設定工程は、原稿ページデータをページ単位に、設定された用紙混載で特定される複数の出力用紙サイズのいずれかに設定することを特徴とする請求項１または２に記載の文書処理方法。
【請求項４】
前記出力用紙サイズ設定工程は、原稿ページデータの原稿用紙サイズが、用紙混載で特定される複数の出力用紙サイズのいずれにも一致しない場合に、所定の条件に基づいて、自動的にいずれかの出力用紙サイズに設定することを特徴とする請求項１乃至３のいずれかに記載の文書処理方法。
【請求項５】
前記出力用紙サイズ設定工程は、印刷設定として両面印刷が設定されており、且つ、連続するページの出力用紙サイズが異なる場合に、自動的に用紙切替を行うことを特徴とする請求項１乃至４のいずれかに記載の文書処理方法。
【請求項６】
文書をページ、章、文書全体とする単位で階層的に保持することができ、且つ文書の印刷体裁を設定する文書処理装置であって、
文書内の１つの章に対する出力用紙サイズとして、用紙混載を設定する章属性設定手段と、
文書の原稿ページデータの原稿用紙サイズを取得する取得手段と、
前記取得手段で取得した原稿用紙サイズの原稿ページデータの出力用紙サイズに基づいて、原稿ページデータをページ単位に、前記章属性設定手段で設定された用紙混載で特定される複数の出力用紙サイズのいずれかに設定する出力用紙サイズ設定手段と
を含むことを特徴とする文書処理装置。
【請求項７】
文書全体に対する出力用紙サイズを設定する文書属性設定手段を更に含み、
前記章属性設定手段は、前記文書属性設定手段で用紙混載が設定されている場合にのみ、用紙混載を設定可能であることを特徴とする請求項６記載の文書処理装置。
【請求項８】
文書をページ、章、文書全体とする単位で階層的に保持することができ、且つ文書の印刷体裁を設定する印刷設定アプリケーションに対して、文書ファイルがインポートされた場合に、出力用紙サイズ及び印刷設定をそれぞれ定義する複数のテンプレートのいずれを用いるかを選択させるテンプレート選択手段を更に含み、
前記テンプレート選択手段で用紙混載の出力用紙サイズ及び印刷設定を定義するテンプレートが選択指示された場合に、前記出力用紙サイズ設定手段は、原稿ページデータをページ単位に、設定された用紙混載で特定される複数の出力用紙サイズのいずれかに設定することを特徴とする請求項６または７に記載の文書処理装置。
【請求項９】
前記出力用紙サイズ設定手段は、原稿ページデータの原稿用紙サイズが、用紙混載で特定される複数の出力用紙サイズのいずれにも一致しない場合に、所定の条件に基づいて、自動的にいずれかの出力用紙サイズに設定することを特徴とする請求項６乃至８のいずれかに記載の文書処理装置。
【請求項１０】
前記出力用紙サイズ設定手段は、印刷設定として両面印刷が設定されており、且つ、連続するページの出力用紙サイズが異なる場合に、自動的に用紙切替を行うことを特徴とする請求項６乃至９のいずれかに記載の文書処理装置。
【請求項１１】
コンピュータにより、文書をページ、章、文書全体とする単位で階層的に保持することができ、且つ文書の印刷体裁を設定する文書処理方法を実行させるためのプログラムであって、
文書内の１つの章に対する出力用紙サイズとして、用紙混載を設定する章属性設定工程と、
文書の原稿ページデータの原稿用紙サイズを取得する取得工程と、
前記取得工程で取得した原稿用紙サイズの原稿ページデータの出力用紙サイズに基づいて、原稿ページデータをページ単位に、前記章属性設定工程で設定された用紙混載で特定される複数の出力用紙サイズのいずれかに設定する出力用紙サイズ設定工程と
をコンピュータにより実行させることを特徴とするプログラム。
【請求項１２】
前記プログラムは、コンピュータにより文書全体に対する出力用紙サイズを設定する文書属性設定工程を更に実行させ、
前記章属性設定工程は、前記文書属性設定工程で用紙混載が設定されている場合にのみ、用紙混載を設定可能であることを特徴とする請求項１１記載のプログラム。
【請求項１３】
前記プログラムは、コンピュータにより、文書をページ、章、文書全体とする単位で階層的に保持することができ、且つ文書の印刷体裁を設定する印刷設定アプリケーションに対して、文書ファイルがインポートされた場合に、出力用紙サイズ及び印刷設定をそれぞれ定義する複数のテンプレートのいずれを用いるかを選択させるテンプレート選択工程を更に実行させ、
前記テンプレート選択工程で用紙混載の出力用紙サイズ及び印刷設定を定義するテンプレートが選択指示された場合に、前記出力用紙サイズ設定工程は、原稿ページデータをページ単位に、設定された用紙混載で特定される複数の出力用紙サイズのいずれかに設定することを特徴とする請求項１１または１２に記載のプログラム。
【請求項１４】
前記出力用紙サイズ設定工程は、原稿ページデータの原稿用紙サイズが、用紙混載で特定される複数の出力用紙サイズのいずれにも一致しない場合に、所定の条件に基づいて、自動的にいずれかの出力用紙サイズに設定することを特徴とする請求項１１乃至１３のいずれかに記載のプログラム。
【請求項１５】
前記出力用紙サイズ設定工程は、印刷設定として両面印刷が設定されており、且つ、連続するページの出力用紙サイズが異なる場合に、自動的に用紙切替を行うことを特徴とする請求項１１乃至１４のいずれかに記載のプログラム。
【発明の詳細な説明】
【技術分野】
【０００１】
本発明は、例えば文書処理プログラムや画像編集プログラム等、様々なプログラムによって生成される出力データをひとつの文書としてまとめ、その文書に対する編集機能を提供する文書処理方法及び文書処理装置に関し、特にパーソナルコンピュータ等の情報処理とプリンタとを有するシステムにおける文書処理方法及び文書処理装置に関するものである。
【背景技術】
【０００２】
データをページ単位で保持し、各種設定値にしたがって、用紙上にレイアウトして印刷するような文書処理システムがある。このようなシステムでは、データを階層構造で保持していても、設定値は文書全体でしか保持しておらず、部分的な設定をすることはできなかった。例えば、アプリケーションプログラム等で作成された文書について、１枚のシートの片面上にＮページ（Ｎとしては例えば２，４，９，１６ページがある。）を配置するレイアウト設定（Ｎページ印刷あるいはＮイン１印刷と呼ぶ。）が可能な印刷システムがあった。Ｎページ印刷を例に説明すると、文書全体について２ページ印刷の設定はできるが、２ページ印刷が指定された文書の一部分を４ページ印刷に変更することはできなかった。すなわち、ひとつの設定項目について、文書の一部分について文書全体と異なる設定値を設定することができなかった。また、文書の部分毎にレイアウト等の設定ができるようなシステムでは、各部分だけで属性（レイアウト設定等の設定値）を保持しているために、全体を統一して一斉に変更することができなかった。
【０００３】
そこで、文書データを、たとえばページ、ページのまとまり（以下、章）、文書全体といった単位で階層的に保持するとともに、各種設定項目の値も文書データの各階層ごとに保持することで、文書全体に統一的な設定をすることも可能であるような文書処理システムが本出願人により考えられている（例えば特許文献１等参照）。このようなシステムでは、編集操作として、各設定項目の設定値の変更だけでなく、ページ単位やページをまとめた単位など任意の単位を文書内で、あるいは文書外に移動したりコピーペーストしたりする事が可能である。
【特許文献１】特開２００３−１６２４０７号公報
【発明の開示】
【発明が解決しようとする課題】
【０００４】
上記文書処理システムでは、文書として生成される電子原稿の文書ファイル（以下、ブックファイルとも呼ぶ。）は、ブック全体として異なるサイズのページを有することができる。文書内の各ページは、文書の出力（たとえば表示や印刷）の際には、それぞれのページのサイズに従って出力される。また文書データを、たとえばページ、章、文書全体といった単位で階層的に保持することができ、各種設定項目の値も文書データの各階層ごとに保持することで、文書データ内に章単位のまとまりをつくることができ、且つ同一章内のページを統一的な設定情報として管理することができる。
【０００５】
ところが、このような章の階層下にあるページの各種設定情報を章の階層で保持するため、章としての階層を保持したまま、階層下の各ページ単位で異なる用紙サイズや設定を保持させることを許容していなかった。なぜなら、１つの章に複数の用紙サイズの原稿が混載されてしまうと、章で保持している印刷設定が無効になる場合が多く、ユーザが混乱するおそれがあるからである。例えば、Ａ４とハガキの用紙サイズの原稿が混載されている場合、プリンタデバイスとして、両面印刷やステープルを実行することができないからである。よって、従来の製本アプリケーションでは、同一章内では、原稿サイズを合わせる仕様となっている。
【０００６】
しかしながら、文書データにおける章は、同一データ内に複数の原稿を保有するような意味合いで利用することが望まれている。例えば、Ａ４とＡ３の用紙サイズの原稿を混載し、Ａ３サイズの原稿はＺ折りし、Ａ４サイズの用紙とあわせて章としてステープルすることをユーザが所望することが考えられる。
【０００７】
本発明は上記従来例に鑑みて成されたもので、ページ、章、文書全体といった単位で階層的に構成される文書内の１つの章において、用紙混載指定により、相異なるサイズの複数のページ（用紙混載）について、それぞれのページに応じた出力用紙サイズとして設定できる文書処理方法及び文書処理装置を提供することを目的とする。
【０００８】
さらに、章の中で複数の用紙サイズが保持されている場合、新たに当該章に入力したページ原稿を出力または表示するサイズを自動的に判断する機能を有する文書処理方法及び文書処理装置を提供することを目的とする。
【課題を解決するための手段】
【０００９】
上記目的を達成するために本発明の文書処理装置は以下の構成を備える。
【００１０】
即ち、文書をページ、章、文書全体とする単位で階層的に保持することができ、且つ文書の印刷体裁を設定する文書処理装置における文書処理方法であって、文書内の１つの章に対する出力用紙サイズとして、用紙混載を設定する章属性設定工程と、文書の原稿ページデータの原稿用紙サイズを取得する取得工程と、前記取得工程で取得した原稿用紙サイズの原稿ページデータの出力用紙サイズに基づいて、原稿ページデータをページ単位に、前記章属性設定工程で設定された用紙混載で特定される複数の出力用紙サイズのいずれかに設定する出力用紙サイズ設定工程とを含む。
【００１１】
さらに好ましくは、文書全体に対する出力用紙サイズを設定する文書属性設定工程を更に含み、前記章属性設定工程は、前記文書属性設定工程で用紙混載が設定されている場合にのみ、用紙混載を設定可能である。
【００１２】
さらに好ましくは、文書をページ、章、文書全体とする単位で階層的に保持することができ、且つ文書の印刷体裁を設定する印刷設定アプリケーションに対して、文書ファイルがインポートされた場合に、出力用紙サイズ及び印刷設定をそれぞれ定義する複数のテンプレートのいずれを用いるかを選択させるテンプレート選択工程を更に含み、前記テンプレート選択工程で用紙混載の出力用紙サイズ及び印刷設定を定義するテンプレートが選択指示された場合に、前記出力用紙サイズ設定工程は、原稿ページデータをページ単位に、設定された用紙混載で特定される複数の出力用紙サイズのいずれかに設定する。
【００１３】
さらに好ましくは、前記出力用紙サイズ設定工程は、原稿ページデータの原稿用紙サイズが、用紙混載で特定される複数の出力用紙サイズのいずれにも一致しない場合に、所定の条件に基づいて、自動的にいずれかの出力用紙サイズに設定する。
【００１４】
さらに好ましくは、前記出力用紙サイズ設定工程は、印刷設定として両面印刷が設定されており、且つ、連続するページの出力用紙サイズが異なる場合に、自動的に用紙切替を行う。
【発明の効果】
【００１５】
本発明によれば、データと設定値を階層的に保持するような文書処理システムで、従来の属性を同時に処理、保持する文書内の章の中において、相異なる出力用紙サイズのページを混載設定できる。また、新たに入力されたページを用紙混載されたテンプレートに自動的に適用させ、出力サイズを決定することが可能である。
【発明を実施するための最良の形態】
【００１６】
以下、図面を参照しながら本発明に係る実施の形態を詳細に説明する。
【００１７】
＜システム概要＞
まず、本発明に係る文書処理システムの概要について、図１乃至図１２を参照して以下に説明する。尚、この文書処理システムは、一般のアプリケーションによって作成されたデータファイルを電子原稿ファイルに変換する電子原稿ライタと、その電子原稿ファイルを編集する機能を提供する製本アプリケーションとを含み、作成されたデータを一まとめにした文書の作成及び編集を可能とし、その操作性を向上させて文書編集を効率的に行えるものである。
【００１８】
＜システム構成及び動作＞
図１は、本実施形態の文書処理システムのソフトウェア構成を示す図である。文書処理システムは、本発明の情報処理装置に好適な実施形態であるデジタルコンピュータ１０１（以下、ホストコンピュータとも呼ぶ）によって実現されている。図１に示す一般アプリケーション１０１は、ワードプロセシングやスプレッドシート、フォトレタッチ、ドロー、あるいはペイント、プレゼンテーション、テキスト編集などの機能を提供するアプリケーションプログラムであり、ＯＳに対する印刷機能を有している。これらのアプリケーションは、作成された文書データや画像データなどのアプリケーションデータを印刷する際に、オペレーティングシステム（ＯＳ）によって提供される所定のインタフェース（一般に、ＧＤＩと呼ばれる）を利用する。即ち、アプリケーション１０１は、作成したデータを印刷するために、上述のインタフェースを提供するＯＳの出力モジュールに対して、あらかじめ定められる、ＯＳに依存する形式の出力コマンド（ＧＤＩ関数と呼ばれる）を送信する。一方、出力コマンドを受けた出力モジュールは、その出力コマンドをプリンタ等の出力デバイスが処理可能な形式に変換して、変換されたコマンド（ＤＤＩ関数と呼ばれる）を出力する。出力デバイスが処理可能な形式はデバイスの種類やメーカ、機種などによって異なるため、デバイスごとにデバイスドライバが提供されており、ＯＳではそのデバイスドライバを利用してコマンドの変換を行い、印刷データを生成し、ＪＬ（Job Language）でくくることにより印刷ジョブが生成される。ＯＳとしてマイクロソフト社のウインドウズ（登録商標）を利用する場合には、前述した出力モジュールとしてはＧＤＩ（Graphic Device Interface）と呼ばれるモジュールが相当する。
【００１９】
電子原稿ライタ１０２は、上述のデバイスドライバを改良したものであり、本文書処理システム実現のために提供されるソフトウェアモジュールである。但し、電子原稿ライタ１０２は特定の出力デバイスを目的としておらず、詳細は後述する製本アプリケーション１０４やプリンタドライバ１０６により処理可能な形式に出力コマンドを変換する。この電子原稿ライタ１０２による変換後の形式（以後電子原稿形式と呼ぶ）は、ページ単位の原稿を詳細な書式をもって表現可能であれば特に問わない。実質的な標準形式のうち、例えばアドビシステムズによるＰＤＦ形式やＳＶＧ形式などが電子原稿形式として採用できる。
【００２０】
一般アプリケーション１０１から電子原稿ライタ１０２を利用させる場合には、出力に使用するデバイスドライバとして電子原稿ライタ１０２を指定してから印刷を実行させる。但し、電子原稿ライタ１０２によって作成されたままの電子原稿ファイルは、電子原稿ファイルとして完全な形式を備えていない。そのため、デバイスドライバとして電子原稿ライタ１０２を指定するのは製本アプリケーション１０４であり、その管理下でアプリケーションデータの電子原稿ファイルへの変換が実行される。そして、製本アプリケーション１０４は電子原稿ライタ１０２が生成した新規の不完全な電子原稿ファイルを後述する形式を備えた電子原稿ファイルとして完成させる。以下、この点を明瞭に識別する必要がある場合、電子原稿ライタ１０２によって作成されたファイルを「電子原稿ファイル」と呼び、製本アプリケーション１０４によって構造を与えられた電子原稿ファイルを「ブックファイル」と呼ぶ。また、特に区別する必要がない場合は、アプリケーションにより生成されるドキュメントファイル、電子原稿ファイル、及びブックファイルをいずれも文書ファイル（または文書データ）と呼ぶ。
【００２１】
このようにデバイスドライバとして電子原稿ライタ１０２を指定し、一般アプリケーション１０１によりデータを印刷させることで、アプリケーションデータはアプリケーション１０１によって定義されたページ（以後論理ページあるいは原稿ページと呼ぶ）を単位とする電子原稿形式に変換され、電子原稿ファイル１０３としてハードディスクなどの記憶媒体に格納される。尚、ハードディスクは、本実施形態の文書処理システムを実現するコンピュータが備えているローカルドライブであっても良く、ネットワークに接続されている場合にはネットワーク上に提供されるドライブであっても良い。
【００２２】
ブックファイルは、ジョブチケットと呼ばれるデータファイルと、編集情報ファイルと呼ばれるデータファイルとから構成される。ジョブチケットはページを単位とし、それをシート、シート束、ドキュメントという階層構造により文書を表現する形式を有する。アプリケーションなどから入力されたページ単位の電子原稿データはジョブチケットに構成される。すなわち、上述した狭い意味での電子原稿ファイルに相当する。そして、本実施形態の製本アプリケーション１０４に特有の機能を実現するために、ジョブチケットでは表現できない印刷体裁等を編集情報ファイルが製本アプリケーション１０４によって作成される。これが前述したブックファイルに相当する。ブックファイルは、出力時には、製本アプリケーション１０４によって編集された編集情報ファイルにより定義された文書として出力される。ブックファイル（編集情報ファイル）は、後述するように図３乃至図６の構造を有しており、文書の構造そのものを定義している。
【００２３】
製本アプリケーション１０４は電子原稿ファイル（あるいはブックファイル）１０３を読み込み、それを編集するための機能を利用者に提供する。但し、製本アプリケーション１０４は、各ページの内容を編集する機能は提供しておらず、ページを最小単位として構成される、後述する章やブックの構造を編集するための機能を提供している。
【００２４】
製本アプリケーション１０４によって編集されたブックファイル１０３を印刷する際には、製本アプリケーション１０４によって電子原稿デスプーラ１０５が起動される。電子原稿デスプーラ１０５は、製本アプリケーションと共にコンピュータ内にインストールされるプログラムモジュールであり、製本アプリケーションで利用するドキュメント（ブックファイル）を印刷する際に、プリンタドライバへ描画データを出力するために使用されるモジュールである。電子原稿デスプーラ１０５は、指定されたブックファイルをハードディスクから読み出し、ブックファイルに記述された形式で各ページを印刷するために、前述したＯＳの出力モジュールに適合する出力コマンドを生成し、不図示の出力モジュールに出力する。その際に、出力デバイスとして使用されるプリンタ１０７用のプリンタドライバ１０６がデバイスドライバとして指定される。上述の出力モジュールは、受信した出力コマンドをデバイスコマンドに変換して指定されたプリンタ１０７用のプリンタドライバ１０６に出力し、そのプリンタドライバ１０６がプリンタ１０７で解釈実行可能なページ記述言語等のコマンドに変換する。そして、変換されたコマンドはプリンタドライバ１０６から不図示のシステムスプーラを介してプリンタ１０７に送信され、プリンタ１０７によってコマンドに応じた画像が印刷される。
【００２５】
図２は、コンピュータ１００のハードウェアブロック図である。図２において、ＣＰＵ２０１は、ＲＯＭ２０３のプログラム用ＲＯＭに記憶された、あるいはハードディスク２１１からＲＡＭ２０２にロードされたＯＳや一般アプリケーション、製本アプリケーションなどのプログラムを実行し、図１のソフトウェア構成や、後述するフローチャートの手順を実現する。ＲＡＭ２０２は、ＣＰＵ２０１の主メモリ、ワークエリア等として機能する。キーボードコントローラ（ＫＢＣ）２０５は、キーボード２０９や不図示のポインティングデバイスからのキー入力を制御する。ＣＲＴコントローラ（ＣＲＴＣ）２０６は、ＣＲＴディスプレイ２１０の表示を制御する。ディスクコントローラ（ＤＫＣ）２０７は、ブートプログラム、種々のアプリケーション、フォントデータ、ユーザファイル、後述する編集ファイル等を記憶するハードディスク（ＨＤ）２１１やフロッピー（登録商標）ディスク（ＦＤ）等とのアクセスを制御する。ＰＲＴＣ２０８は、接続されたプリンタ１０７との間の信号の交換を制御する。ＮＣ２１２はネットワークに接続されて、ネットワークに接続された他の機器との通信制御処理を実行する。
【００２６】
＜ブックファイルのデータ形式＞
編集アプリケーション１０４の詳細を言及する前に、ブックファイルのデータ形式について説明する。ブックファイルは紙媒体の書物を模倣した３層の層構造を有する。まず、上位層は「ブック」と呼ばれ、１冊の本を模倣しており、その本全般に係る属性が定義されている。その下の中間層は、本でいう章に相当し、やはり「章」と呼ばれる。各章についても、章毎の属性が定義できる。そして、下位層は「ページ」であり、アプリケーションプログラムで定義された各ページに相当する。尚、各ページについてもページ毎の属性が定義できる。更に、一つのブックは複数の章を含んでいてよく、また一つの章は複数のページを含むこともできる。
【００２７】
図３に示す（Ａ）は、ブックファイルの形式の一例を模式的に示す図である。図示するように、この例では、ブックファイルにおけるブック，章，ページは、それぞれに相当するノードにより示されている。一つのブックファイルは一つのブックを含む。ブック，章は、ブックとしての構造を定義するための概念であるから、定義された属性値と下位層へのリンクとをその実体として含む。ページは、アプリケーションプログラムによって出力されたページ毎のデータを実体として有する。そのため、ページは、その属性値のほかに、原稿ページの実体（原稿ページデータ）と各原稿ページデータへのリンクを含む。ここで示すブックファイルの属性の集合を、アプリケーション編集情報と呼ぶ。
【００２８】
尚、紙媒体等に出力する際の印刷ページは複数の原稿ページを含む場合がある。この構造に関してはリンクによって表示されず、ブック、章、ページ各階層における属性として表示される。
【００２９】
図３において、ブック３０１には、ブック属性が定義されていると共に、２つの章３０２Ａ，３０２Ｂがリンクされている。このリンクにより、章３０２Ａ，３０２Ｂがブック３０１に包含されていることが表示される。章３０２Ａには、ページ３０３Ａ，３０３Ｂがリンクされ、これらページが含まれることが示されている。各ページ３０３Ａ，３０３Ｂにはそれぞれ属性値が定義され、その実体である原稿ページデータ（１）、（２）へのリンクが含まれる。これらリンクは、図３に示す（Ｂ）のように原稿ページデータ３０４のデータ（１），（２）を指し示し、ページ３０３Ａ、３０３Ｂの実体が原稿ページデータ（１）、（２）であることを表示している。原稿ページデータは、前述したように、ＰＤＦ形式もしくはＳＶＧ形式のページ単位の描画データである。また、原稿ページデータは、各ページ毎にオリジナル原稿の用紙サイズで保持されている。また、その原稿サイズを示す情報も、原稿ページデータに添付データとして含まれている。この原稿サイズは、ブック属性や章属性に含まれる出力用紙サイズとは異なり、入力されたサイズを表している。
【００３０】
図３に示すように、ブックファイルは、原稿ページデータと、アプリケーション編集情報と、ジョブチケットから構成されている。ジョブチケットの詳細については後述する。
【００３１】
図４は、アプリケーション編集情報であるブック属性のリストである。下位層と重複して定義可能な項目に関しては、下位層の属性値が優先採用される。そのため、ブック属性にのみ含まれる項目に関しては、ブック属性に定義された値はブック全体を通して有効な値となる。しかし、下位層と重複する項目については、下位層において定義されていない場合における既定値としての意味を有する。尚、図示された各項目は具体的に１項目に対応するのではなく、関連する複数の項目を含むものもある。ブック属性の用紙サイズの項目（第２項目）は、ブックファイル全体として、固定の用紙サイズなのか、所定の組み合わせの用紙サイズが混載されているのか、任意に複数の用紙サイズが混載しているのかを属性として持っている。固定の用紙サイズの場合には、用紙サイズ属性値は設定されたサイズそのものを示す値が設定される。所定の組み合わせの用紙サイズが混載されている場合には、所定の組み合わせの用紙サイズを示す値が設定される。また任意の用紙サイズが混載されており、各々の用紙サイズを出力用紙サイズとする場合には、「原稿サイズと同じ」という値が設定される。「原稿サイズと同じ」が設定された場合には、出力サイズは入力された原稿サイズそのものとなる。原稿サイズは、原稿ページデータに添付されたサイズ情報を参照して知得できる。
【００３２】
なお、本実施形態においては、所定の組み合わせの用紙サイズは、一定の組み合わせに限られている。たとえば、本実施形態では、「Ａ４とＡ３」「Ｂ５とＢ４」「レターとタブロイド」「レターとリーガル」のように、１辺の長さが共通する組み合わせに限っている。その理由は、２つのサイズのうち、大きな方のサイズの用紙をＺ折りにすることで、あたかも同一サイズの用紙であるかのように、ステイプルなどの後処理やページレイアウトを可能とするためである。この組み合わせは、出力先のプリンタの制約により決定される。すなわち、本発明では、これらの組み合わせを出力用紙サイズとして設定する限り、相異なる出力用紙サイズを含む章であっても、両面印刷設定やステープル、ページレイアウト等を当該章について設定することが可能となる。逆にいえば、章属性の出力用紙サイズとして「入力原稿サイズ（原稿サイズと同じ）」を設定した場合には、その章について、ステープルやページレイアウトの設定をおこなうことはできない。
【００３３】
図５は章属性のリストである。従来の製本アプリケーションの章属性の用紙サイズは、固定サイズのみ選択可能であったが、本願発明のアプリケーション編集情報の章属性は、用紙サイズの章属性として、複数用紙の選択が可能となっている。ただし、原則的には、ブック属性で複数用紙サイズの混載が選択された場合に限り、章属性として複数の用紙サイズの選択が可能となり、更に、ブック属性で選択されたものと同じ組み合わせの複数用紙の選択に限ることが条件となっている。例えば、ブックの出力用紙サイズの属性として、「Ａ４とＡ３」という項目値である場合は、章属性では、「Ａ３」または「Ａ４」または「Ａ４とＡ３」という項目値のいずれかが選択できる。用紙サイズ属性の値は、ブック属性と同様に、固定の用紙サイズの場合には、用紙サイズ属性値は設定されたサイズそのものを示す値が設定される。混載の場合には、混載される用紙サイズが設定される。このほか、ブック属性と同じように、「入力原稿サイズ（原稿サイズと同じ）」とする設定値も設定可能である。「入力原稿サイズ」が設定された場合には、出力サイズは入力された原稿サイズそのものとなる。原稿サイズは、原稿ページデータに添付されたサイズ情報を参照して知得できる。
【００３４】
また、図６はページ属性のリストである。章属性とページ属性との関係もブック属性と下位層の属性との関係と同様である。このページ属性は、論理ページの属性をあらわしているため、このページ属性には出力用紙サイズは含まれない。ページごとの出力用紙サイズは当該ページの属する章における出力用紙サイズの設定に従う。ただし、章の出力用紙サイズの設定が、「入力原稿サイズ」と設定されている場合には、原稿ページデータに添付されたサイズ情報が出力用紙サイズとなる。
【００３５】
図４〜図６から明らかなように、ブック属性に固有の項目は、印刷方法、製本詳細、表紙／裏表紙、インデックス紙、合紙、章区切りの６項目である。これらはブックを通して定義される項目である。印刷方法の属性としては、片面印刷、両面印刷、製本印刷の３つの値を指定できる。ここで、製本印刷とは、別途指定する枚数の用紙を束にして２つ折りにし、その束をつづり合わせることで製本が可能となる形式で印刷する方法である。製本詳細属性としては、製本印刷が指定されている場合に、見開き方向や、束になる枚数等が指定できる。
【００３６】
表紙／裏表紙属性は、ブックとしてまとめられる電子原稿ファイルを印刷する際に、表紙及び裏表紙となる用紙を付加することの指定、及び付加した用紙への印刷内容の指定を含む。インデックス紙属性は、章の区切りとして、印刷装置に別途用意される耳付きのインデックス紙の挿入指定及びインデックス（耳）部分への印刷内容の指定を含む。この属性は、印刷用紙とは別に用意された用紙を所望の位置に挿入するインサート機能を持ったインサータが使用する印刷装置に備えられている場合か、あるいは、複数の給紙カセットを使用可能である場合に有効となる。これは合紙属性についても同様である。
【００３７】
合紙属性は、章の区切りとして、インサータから、あるいは給紙カセットから供給される用紙の挿入の指定、及び合紙を挿入する場合には、給紙元の指定などを含む。
【００３８】
章区切り属性は、章の区切り目において、新たな用紙を使用するか、新たな印刷ページを使用するか、特に何もしないか等の指定を含む。片面印刷時には、新たな用紙の使用と新たな印刷ページの使用とは同じ意味を持つ。両面印刷時には、「新たな用紙の使用」を指定すれば連続する章が１枚の用紙に印刷されることは無いが、「新たな印刷ページの使用」を指定すれば、連続する章が１枚の用紙の表裏に印刷されることがあり得る。
【００３９】
章属性に関しては、章に固有の項目はなく、おおむねブック属性と重複する。従って、章属性における定義とブック属性における定義とが異なれば、章属性で定義された値が優先する。ただし、前述したように、用紙サイズの設定に関しては、「混載」設定とは、それぞれの階層において相異なる用紙サイズが混在することを意味しており、階層によって意味が異なっている。章属性において一定値（混載設定）をとるためには、ブック属性の設定が一定値（混載設定）であることが条件となる。ブック属性と章属性とにのみ共通する項目は、用紙サイズ、用紙方向、Ｎ−ｕｐ印刷指定、拡大縮小、排紙方法の５項目である。これらのうち、Ｎ−ｕｐ印刷指定属性は１印刷ページに含まれる原稿ページ数を指定するための項目である。指定可能な配置としては、１×１、１×２、２×２、３×３、４×４などがある。排紙方法属性は、排出した用紙にステイプル処理を施すか否かを指定するための項目であり、この属性の有効性は使用する印刷装置がステイプル機能を有するか否かに依存する。
【００４０】
ページ属性に固有の項目には、ページ回転属性、ズーム、配置指定、アノテーション、ページ分割などがある。ページ回転属性は、原稿ページを印刷ページに配置する際の回転角度を指定するための項目である。ズーム属性は、原稿ページの変倍率を指定するための項目である。変倍率は、仮想論理ページ領域のサイズを１００％として指定される。仮想論理ページ領域とは、原稿ページを、Ｎ−ｕｐ等の指定に応じて配置した場合に、１原稿ページが占める領域である。例えば、１×１であれば、仮想論理ページ領域は１印刷ページに相当する領域となり、１×２であれば、１印刷ページの各辺を約７０パーセントに縮小した領域となる。
【００４１】
ブック、章、ページについて共通な属性としては、ウォーターマーク属性及びヘッダ・フッタ属性がある。ここで、ウォーターマークとは、アプリケーションで作成されたデータに重ねて印刷される、別途指定される画像や文字列などである。ヘッダ・フッタは、それぞれ各ページの上余白及び下余白に印刷されるウォーターマークである。但し、ヘッダ・フッタには、ページ番号や日時など変数により指定可能な項目が用意されている。尚、ウォーターマーク属性およびヘッダ・フッタ属性において指定可能な内容は、章とページとは共通であるが、ブックはそれらと異なっている。ブックにおいてはウォーターマークやヘッダ・フッタの内容を設定できるし、また、ブック全体を通してどのようにウォーターマークやヘッダ・フッタを印刷するかを指定することができる。一方、章やページでは、その章やページにおいて、ブックで設定されたウォーターマークやヘッダ・フッタを印刷するか否かを指定できる。
【００４２】
＜ブックファイルの生成手順＞
ブックファイルは上述したような構造及び内容を有している。次に、製本アプリケーション１０４及び電子原稿ライタ１０２によるブックファイルの作成手順について説明する。ブックファイルの作成手順は、製本アプリケーション１０４によるブックファイルの編集操作の一環として実現される。
【００４３】
図７は、製本アプリケーション１０４によりブックファイルを開く際の手順である。まず、開こうとするブックファイルが、新規作成すべきものであるか、それとも既存のものであるか判定する（ステップＳ７０１）。新規作成の場合には、章を含まないブックファイルを新規に作成する（ステップＳ７０２）。新規に作成されるブックファイルは、図３の例で示せば、ブックノード３０１のみ有し、章のノードに対するリンクが存在しないブックのノードとなる。ブック属性は、新規作成用としてあらかじめ用意された属性のセットが適用される。そして、新規ブックファイルを編集するためのユーザインタフェース（ＵＩ）画面を表示する（ステップＳ７０３）。図１１は、新規にブックファイルが作成された際のＵＩ画面の一例である。この場合は、ブックファイルは実質的な内容を持たないため、ＵＩ画面１１００には何も表示されない。
【００４４】
一方、既存のブックファイルがあれば、指定されたブックファイルを開き（ステップＳ７０３）、そのブックファイルの構造、属性、内容に従ってユーザインタフェース（ＵＩ）画面を表示する。図１０は、既存のブックファイルから指定されたブックファイルを表示するＵＩ画面の一例である。ＵＩ画面１１００は、ブックの構造を示すツリー部１１０１と、印刷された状態を表示するプレビュー部１１０２とを含む。ツリー部１１０１には、ブックに含まれる章、各章に含まれるページが図３に示す（Ａ）のような木構造で表示される。ツリー部１１０１に表示されるページは原稿ページである。またプレビュー部１１０２には、印刷ページの内容が縮小されて表示される。その表示順序はブックの構造を反映したものとなっている。
【００４５】
さて、開かれたブックファイルには、電子原稿ライタ１０２によって電子原稿ファイルに変換されたアプリケーションデータを、新たな章として追加することができる。この機能を電子原稿インポート機能と呼ぶ。図７に示す手順によって新規に作成されたブックファイルに電子原稿インポートすることで、そのブックファイルには実体が与えられる。この機能は、図１０の画面にアプリケーションデータをドラッグアンドドロップ操作することで起動される。
【００４６】
図８に電子原稿インポートの手順を示す。まず、指定されたアプリケーションデータを生成したアプリケーションプログラムを起動し、デバイスドライバとして電子原稿ライタ１０２を指定してアプリケーションデータを印刷出力させることで、電子原稿データに変換する（ステップＳ８０１）。変換を終えたなら、変換されたデータが画像データであるか否かを判定する（ステップＳ８０２）。この判定は、ウインドウズ（登録商標）ＯＳの下であれば、アプリケーションデータのファイル拡張子に基づいて行われる。例えば、拡張子が「ｂｍｐ」であればウインドウズ（登録商標）ビットマップデータであり、「ｊｐｇ」であればｊｐｅｇ圧縮された画像データ、「ｔｉｆｆ」であればｔｉｆｆ形式の画像データであると判定できる。また、このような画像データの場合はＳ８０１０のようにアプリケーションを起動せずに、画像データから直接電子原稿ファイルを生成することが可能であるため、Ｓ８０１０の処理を省略することも可能である。
【００４７】
ここで、画像データでなかった場合には、ステップＳ８０１で生成された電子原稿ファイルを、現在開かれているブックファイルのブックに、新たな章として追加する（ステップＳ８０３）。章属性としては、ブック属性と共通するものについてはブック属性の値がコピーされ、そうでないものについては、予め用意された規定値に設定される。
【００４８】
また、ステップＳ８０２で画像データである場合には、原則として新たな章は追加されず、指定されている章に、ステップＳ８０１で生成された電子原稿ファイルに含まれる各原稿ページが追加される（ステップＳ８０４）。但し、ブックファイルが新規作成されたファイルであれば、新たな章が作成されて、その章に属するページとして電子原稿ファイルの各ページが追加される。ページ属性は、上位層の属性と共通のものについてはその属性値が与えられ、アプリケーションデータにおいて定義された属性を電子原稿ファイルに引き継いでいるものについてはその値が与えられる。例えば、Ｎｕｐ指定などがアプリケーションデータにおいて指定されていた場合には、その属性値が引き継がれる。このようにして、新規なブックファイルが作成され、あるいは、新規な章が追加される。
【００４９】
図９は、図８に示すステップＳ８０１において、電子原稿ライタ１０２により電子原稿ファイルを生成させる手順のフローチャートである。まず、新たな電子原稿ファイルを作成してそれを開く（ステップＳ９０１）。指定したアプリケーションデータに対応するアプリケーションを起動し、電子原稿ライタをデバイスドライバとしてＯＳの出力モジュールに対して出力コマンドを送信させる。出力モジュールは、受信した出力コマンドを電子原稿ライタ１０２によって電子原稿形式のデータに変換し、出力する（ステップＳ９０２）。その出力先はステップＳ９０１で開いた電子原稿ファイルである。指定されたデータ全てについて変換が終了したか判定し（ステップＳ９０３）、終了していれば電子原稿ファイルを閉じる（ステップＳ９０４）。電子原稿ライタ１０２によって生成される電子原稿ファイルは、図３の（Ｂ）に示される原稿ページデータの実体を含むファイルである。
【００５０】
＜ブックファイルの編集＞
以上のようにして、アプリケーションデータからブックファイルを作成することができる。生成されたブックファイルについては、章及びページに対して次のような編集操作が可能である。
（１）新規追加
（２）削除
（３）コピー
（４）切り取り
（５）貼り付け
（６）移動
（７）章名称変更
（８）ページ番号名称振り直し
（９）表紙挿入
（１０）合紙挿入
（１１）インデックス紙挿入
（１２）各原稿ページに対するページレイアウト。
【００５１】
このほか、一旦行った編集操作を取り消す操作や、更に取り消した操作をやり直す操作が可能である。これら編集機能により、例えば複数のブックファイルの統合、ブックファイル内で章やページの再配置、ブックファイル内で章やページの削除、原稿ページのレイアウト変更、合紙やインデックス紙の挿入などの編集操作が可能となる。これらの操作を行うと、図４、図５に示す属性に操作結果が反映されたり、あるいはブックファイルの構造に反映される。例えば、ブランクページの新規追加操作を行えば、指定された箇所にブランクページが挿入される。このブランクページは原稿ページとして扱われる。また、原稿ページに対するレイアウトを変更すれば、その変更内容は、印刷方法やＮ−ｕｐ印刷、表紙／裏表紙、インデックス紙、合紙、章区切りといった属性に反映される。
【００５２】
＜ブックファイルの出力＞
以上のように作成・編集されるブックファイルは、印刷出力を最終目的とするものである。ここで、利用者が図１０に示した製本アプリケーションのＵＩ画面１１００からファイルメニューを選択し、そこから印刷を選択すると、指定した出力デバイスにより印刷出力される。この際、まず製本アプリケーション１０４は、現在開かれているブックファイルからデスプールテーブルを作成し、そのデスプールテーブルを電子原稿デスプーラ１０５に渡す。一方、電子原稿デスプーラ１０５は、デスプールテーブルをＯＳの出力コマンド、例えばウインドウズ（登録商標）のＧＤＩ関数に変換し、それを出力モジュール、例えばＧＤＩに送信する。出力モジュールは、指定されたプリンタドライバ１０６によってデバイスに適したコマンドを生成し、そのデバイスに送信する。
【００５３】
ここで、デスプールテーブルは原稿ページを最小単位とする構造を有するデータである。デスプールテーブルにおける構造は、用紙上における原稿ページのレイアウトを定義しており、ジョブチケットとほぼ同じ構造を有する。そのため、まず最上位にドキュメント（ブック全体の設定領域）という階層があり、文書全体の属性、例えば両面印刷／片面印刷などが定義されている。その下には、用紙階層が属し、用いるべき用紙の識別子やプリンタにおける給紙口の指定などの属性が含まれる。用紙階層には、その用紙で印刷されるシートの階層が属する。１シートは１枚の用紙に相当する。各シートには、印刷ページ（物理ページ）が属する。片面印刷ならば１シートには１物理ページが属し、両面印刷ならば１シートに２物理ページが属する。各物理ページには、その上に配置される原稿ページが属する。また物理ページの属性として、原稿ページのレイアウトが含まれる。電子原稿デスプーラ１０５は、上述のデスプールテーブルを、出力モジュールへの出力コマンドに変換する。
【００５４】
＜そのほかのシステム構成＞
本実施形態の文書処理システムの概要は以上のようなものである。これはスタンドアロン型のシステムであるが、これを拡張したサーバクライアントシステムでもほぼ同様の構成・手順でブックファイルを作成・編集できる。但し、ブックファイルや印刷処理はサーバによって管理される。
【００５５】
図１２は、サーバクライアント型文書処理システムの構成を示すブロック図である。クライアント文書処理システムは、スタンドアロン型システムに、クライアントモジュールであるＤＯＭＳ（Document Output Management Service：文書出力管理サービス）ドライバ１０９及びＤＯＭＳプリントサービスモジュール１１０、ＤＳ（文書サービス）クライアントモジュール１０８を加えた構成を有する。このクライアント文書処理システム１２００に文書管理サーバ１２０１、印刷集中管理サーバ１２０２及びプリントサーバ１２０３が接続されている。これらサーバは、通常ネットワークによってクライアント文書処理システムと接続されるが、サーバが同時にクライアントとしても機能する場合には、ネットワーク間の通信をシミュレートするプロセス間通信によって接続される。
【００５６】
尚、図１２に示す例では、文書管理サーバ１２０１と印刷集中管理サーバ１２０２の両方のサーバがクライアントに接続されているが、何れか一方のみネットワーク上に存在する場合もあり得る。例えば、接続されているサーバが文書管理サーバであれば、そのクライアントモジュール１０８を含む文書管理サーバクライアントシステム１２０１ＳＣが、また印刷集中管理サーバ１２０２であれば、そのクライアントモジュールを含む印刷管理サーバクライアントシステム１２０２ＳＣが、スタンドアロン型文書管理システムに追加される。
【００５７】
文書管理サーバ１２０１は、製本アプリケーション１０４により作成・編集されたブックファイルを格納するサーバである。文書管理サーバ１２０１によってブックファイルを管理する場合、ブックファイルはクライアントＰＣのローカルＨＤに代わって、あるいはそれに加えて、文書管理サーバ１２０１のデータベース１２１１に保存される。製本アプリケーション１０４と文書管理サーバ１２０１との間のブックファイルの保存及び読み出しは、ＤＳクライアント１０８及びＤＳコア１２１２を介して行われる。
【００５８】
印刷集中管理サーバ１２０２は、クライアント文書管理システム１２００に格納された、あるいは文書管理サーバ１２０１に格納されたブックファイルの印刷を管理するサーバである。クライアントにおける印刷要求は、ＤＯＭＳドライバ１０９およびＤＯＭＳプリントサービスモジュール１１０を介して印刷集中管理サーバ１２０２のＤＯＭＳＷＧサーバモジュール１２２１に送信される。集中印刷管理サーバ１２０２は、クライアントのプリンタで印刷する場合にはクライアントのＤＯＭＳプリントサービスモジュール１１０を介して電子原稿デスプーラ１０５に電子原稿データを渡し、プリントサーバ１２０３により印刷する場合には、プリントサーバ１２０３のＤＯＭＳプリントサービスモジュール１２０３に送信する。集中印刷管理サーバは、例えば保存されているブックファイルに対して印刷要求を発行した利用者の資格などについてセキュリティチェックを行ったり、印刷処理のログを保存したりする。このように、文書処理システムは、スタンドアロンとしても、クライアントサーバシステムとしても実現できる。
【００５９】
＜プレビュー表示の内容＞
既に説明した通り、ブックファイルが製本アプリケーションによって開かれると、図１０に示したユーザインタフェース画面１１００が表示される。ツリー部１１０１には、開いているブック（以下、「注目ブック」と呼ぶ）の構造を示すツリーが表示される。プレビュー部には、利用者の指定に応じて、３通りの表示方法が用意されている。まず、第１は原稿ページをそのまま表示する原稿ビューと呼ばれるモードである。この原稿ビューモードでは、注目ブックに属する原稿ページの内容が縮小されて表示される。尚、プレビュー部１１０２の表示にレイアウトは反映されない。次に、第２は印刷ビューモードである。この印刷ビューモードでは、プレビュー部１１０２には原稿ページのレイアウトが反映された形で原稿ページが表示される。そして、第３は簡易印刷ビューモードである。この簡易印刷ビューモードでは、各原稿ページの内容はプレビュー部の表示には反映されず、レイアウトのみが反映される。
【００６０】
＜ステイプル制御＞
次に、ステイプル機能を有するプリンタと接続するコンピュータ１００の製本アプリケーション１０４によって行われるステイプル制御について説明する。
【００６１】
図１３は、ステイプル制御システムの構成を示すブロック図である。図示するように、ステイプル制御システムは、図２に示したホストコンピュータ１００とステイプル機能を有するプリンタ１０７とで構成される。
【００６２】
以下、プリンタ１０７の構成について説明する。尚、本発明の機能が実現されるのであれば、単体の機器であっても、複数の機器からなるシステムであっても、ＬＡＮ，ＷＡＮ等のネットワークを介して接続がなされ、処理が行われるシステムであっても本発明を適用できる。
【００６３】
図示するように、プリンタ１０７において、１３０１はプリンタＣＰＵであり、ＲＯＭ１３０２内のプログラム用ＲＯＭに記憶された制御プログラム等や外部メモリ１３０３に記憶された制御プログラム等に基づいてシステムバス１３０４に接続される印刷部Ｉ／Ｆ１３０５を介して、印刷部（プリンタエンジン）１３０６に出力情報としての画像信号を出力する。また、このＲＯＭ１３０２内のプログラムＲＯＭには、ＣＰＵ１３０１の制御プログラム等が記憶され、ＲＯＭ１３０２内のフォント用ＲＯＭには、出力情報を生成する際に使用するフォントデータ等が記憶され、ＲＯＭ１３０２内のデータ用ＲＯＭには、ハードディスク等の外部メモリ１３０３がないプリンタの場合、ホストコンピュータ１００上で利用される情報等が記憶されている。
【００６４】
また、ＣＰＵ１３０１は、入力部１３０７を介してホストコンピュータ１００との通信処理が可能となっており、プリンタ１０７内の情報等をホストコンピュータ１００に通知できる。ＲＡＭ１３０８は、ＣＰＵ１３０１の主メモリや、ワークエリア等として機能するＲＡＭであり、図示しない増設ポートに接続されるオプションＲＡＭによりメモリ容量を拡張することができるように構成されている。
【００６５】
尚、ＲＡＭ１３０８は、出力情報展開領域、環境データ格納領域、ＮＶＲＡＭ等に用いられる。上述したハードディスク（ＨＤ）、ＩＣカード等の外部メモリ１３０３は、メモリコントローラ（ＭＣ）１３０９によりアクセスを制御される。外部メモリ１３０３は、オプションとして接続され、フォントデータ、エミュレーションプログラム、フォームデータ等を記憶する。また、操作パネル１３１１は操作のためのスイッチ及びＬＥＤ表示器等で構成されている。
【００６６】
また、上述の外部メモリ１３０３は１個に限らず、複数個備えられ、内蔵フォントに加えてオプションカード、言語系の異なるプリンタ制御言語を解釈するプログラムを格納した外部メモリを複数接続できるように構成されていても良い。更に、図示しないＮＶＲＡＭを有し、操作パネル１３１１からのプリンタモード設定情報を記憶するようにしても良い。
【００６７】
＜文書の詳細設定＞
図１６は、製本アプリケーション１０４の「文書の詳細設定」ウインドウ１６０１を示している。このウインドウは、図１０に示した製本アプリケーション操作画面にある編集メニューの「印刷形式」メニュー項目１１０４、あるいは図１４に示されるツールバー１４０１上の「文書の詳細設定」ボタンから起動される。「文書の詳細設定」ウインドウは、現在、製本アプリケーション１０４で開いているブックファイルの文書全体に影響する属性（すなわち図３及び図４に示すブック属性）の設定を行うためのウインドウである。このウインドウは、ページ設定、仕上げ、編集、給紙の４つのシートから構成されており、図１６は、ページ設定シートを表示した状態を示している。
【００６８】
このブック属性のページ設定シートでは、主に原稿のレイアウトに関する設定を行うことができる。従来の製本アプリケーションでも、このページ設定シートを備えているが、従来のページ設定シートでは、出力用紙サイズの項目値として、Ａ４，Ａ３，Ｂ４，Ｂ５，レター，ハガキ等のように、固定サイズの選択が可能になっている。また、「Ａ４とＡ３」のように所定の組み合わせの用紙サイズを設定することも可能である。所定の組み合わせの用紙サイズの場合には、プリンタの制約（デバイス制約）で許可されているため、「仕上げ」のシートで、ステープルやパンチ、更にはＺ折りの後処理設定を行うことが可能である。また、図１６のように「原稿サイズと同じ」という項目値も選択可能である。この項目値が選択された場合には、Ａ４の用紙サイズの原稿ページデータはＡ４で、Ａ３の用紙サイズの原稿ページデータはＡ３で、というように、入力された原稿ページのサイズそのままで出力され、またたとえばプレビューウィンドウに表示される。
【００６９】
しかしながら従来、この「原稿サイズに同じ」という項目値が選択されている場合にも、同一章内では、複数の用紙サイズが混載することを許容しておらず、用紙サイズの異なる原稿ページデータが入力された場合、新たな章が作成されてそこに入力ページが登録されるなどして、別の章として作成されていた。なぜなら、１つの章に複数の用紙サイズの原稿が混載されてしまうと、プリンタの制約（デバイス制約）を考慮しないで出力用紙サイズが混載されてしまい、章で保持している印刷設定が無効になる場合が多く、ユーザが混乱するおそれがあるからである。例えば、Ａ４とハガキの用紙サイズの原稿が混載されている場合、プリンタデバイスとして、それらをまとめて両面印刷したりステープルを実行することができない。そのため、相異なるサイズのページが混載されている章の存在を許容したとしても、当該章について両面印刷やステープルが設定された場合、その印刷設定は実現できず無視される。よって、従来の製本アプリケーションでは、同一章内では、同一の原稿サイズのページのみが許容されている。つまり、出力用紙サイズとして「原稿サイズと同じ」と設定されている場合には、「仕上げ」のシートで後処理設定を許容しないため、グレイアウト表示されることになる。
【００７０】
このように、ブック属性としては、出力用紙サイズとして、固定サイズ、所定の組み合わせの用紙サイズ、及び原稿サイズと同じの３種類の設定を行うことができた。しかし、章属性としては、固定サイズもしくは、原稿サイズと同じの２種類しか考慮されていなかった。
【００７１】
図１７に、章の詳細設定の中でページ設定ウインドウ１７０１を示す。このウインドウは、図１０に示した製本アプリケーション操作画面において、ツリービュー１１０１内で所定の章（１章〜３章）を選択している状態で、ある編集メニューの「印刷形式」メニュー項目１１０４の中の「章の詳細設定」項目を選択するか、あるいは同様に所定の章が選択されている状態で、図１４に示されるツールバー１４０１上の「章の詳細設定」ボタンから起動される。「章の詳細設定」ウインドウは、現在、製本アプリケーション１０４で開いているブックファイルのうち、ツリービュー１１０１で選択されている章に影響する属性（すなわち図５に示す章の属性）の設定を行うためのウインドウである。このウインドウは、ページ設定、仕上げ、編集、給紙の４つのシートから構成されており、図１７は、ページ設定シートを表示した状態を示している。基本的には、文書（ブック、またはドキュメント）の詳細設定のページ設定と設定できる情報は同じだが、次の３機能が追加されている。
・出力用紙に関する設定をブックに合わせる（図１７のチェックボックス１７０２）。
・ページレイアウトに関する機能をブックに合わせる（図１７のチェックボックス１７０３）。
・原稿の配置に関する設定をブックに合わせる（図１７のチェックボックス１７０４）。
【００７２】
これらの機能が設定されていれば、章の詳細設定がどのように設定されていようとも、文書の詳細設定で設定された情報が当該章の設定に適用される。これらの機能のうち、ブックに設定をあわせる旨の設定がされていない機能グループは、章で設定した内容が反映される。従って、文書全体の設定とは異なった、章特有の設定が保持されることになる。ここでいう機能グループとは、ページレイアウト機能は、ページレイアウト、配置順、境界線の３個の機能で構成されているので、それらを統合して機能グループといっている。文書情報に対して特有の情報を章に設定できるのと同時に、章の情報に対して特有の情報をページに対して行うことができる。これは、ページの詳細設定ウインドウのページ設定で行う。また、ページ設定以外の情報、仕上げ情報、編集情報、給紙情報についても、同様な方法で行うことができる。
【００７３】
章属性（すなわち章の詳細設定）についても文書と同様に、出力用紙サイズの設定が可能である。ただし、ステープルやページレイアウト（シートの片面に１原稿ページを越える数のページを配置する場合に限る）の設定については、一定の条件が満たされた場合に限られる。その一定の条件とは、章属性における出力用紙サイズの設定が、一定のものであることである。つまり、従来の章の属性としては、出力用紙サイズとして、固定サイズもしくは、原稿サイズと同じの２種類しか考慮されておらず、ステープルやページレイアウトの設定を行うためには、出力用紙サイズとして固定サイズが選択されている場合にのみ許可されていた。
【００７４】
しかしながら、文書データにおける章は、同一データ（章）内に複数の原稿を保有するような意味合いで利用することが望まれている。例えば、Ａ４とＡ３の用紙サイズの原稿を混載し、Ａ３サイズの原稿はＺ折りし、それらをひとつの章としてステープルすることをユーザが所望することが考えられる。
【００７５】
そこで本実施形態の製本アプリケーションでは、文書内のそれぞれの章が、デバイス制約により許容されている所定の組み合わせの用紙混載の原稿を含むことを許容する。つまり、本実施形態では、「仕上げ」の後処理を設定したり、ページレイアウトを変更するための条件として、章の出力用紙サイズの設定が、単一のサイズであること、または、「Ａ４とＡ３」，「Ｂ４とＢ５」，「レターとタブロイド」，「レターとリーガル」の、いずれかのサイズの組み合わせであること、である。
【００７６】
図２０に、章の詳細設定におけるページ設定シートを示す。章の詳細設定におけるページ設定シート２００１では、出力用紙サイズ項目２００２の選択肢として、「Ａ４とＡ３」，「Ｂ４とＢ５」，「レターとタブロイド」，「レターとリーガル」という、複数の用紙サイズが混載していることを示す項目値が追加されている。出力用紙サイズ項目２００２のプルダウンメニュー２０１０に別途図示する。ここでは、所定の組み合わせの出力用紙サイズを当該章に含める設定値２０１１が選択可能となっている。また、本実施形態では、「原稿サイズに同じ」という項目値が選択されている場合、ひとつの章に相異なる複数の原稿ページサイズ（すなわちデバイス制約を考慮していない組み合わせの出力用紙サイズでもある。）が含まれることも許容される。この場合には、出力用紙サイズの組みあわせても制限はなく、原稿ページのサイズに最も近い定型サイズ（ＪＩＳのＡ３，Ｂ４といった標準化されたサイズや、リーガル、レターといったプリンタで出力可能なサイズ）で出力される。ただし、「原稿サイズと同じ」という項目値が選択されている場合には、「仕上げ」シートの後処理設定や、「ページ設定」シートのページレイアウトを変更することは禁止されるため、図１７のようにグレイアウト表示されることになる。
【００７７】
＜本実施形態の例＞
本実施の形態の係わる製本アプリケーション１０４では、上述のように、図１６、図１７、図２０などのユーザインターフェースを通じて、ブックファイル内のブック、章、ページに対してそれぞれの属性をユーザが設定することができる。また、ブックファイルは、図３を参照して前述したように階層構造になっており、ブック属性がある値に設定されれば、原則的にブック属性の下層に位置している章属性も同様の設定値に変更される。同様に、章属性が変更されれば、章属性の下層に位置しているページ属性も変更される。例えば、図３のような２つの章と４ページからなる構成のブック属性３０１において出力用紙サイズＡ４が設定された場合には、そのブックに含まれる全てのページの属性がＡ４サイズとなる。また、このブック属性に含まれる章属性（２）３０２Ｂにおいて、出力用紙サイズＡ３と設定した場合は、同様にその章属性の下層に位置しているページ属性３０３Ｃ、３０３Ｄの出力用紙サイズもＡ３となる。このように、章における用紙サイズなどの属性設定において、下層のページは上位層の設定に連動するようになっている。この場合、ブック属性においてページ設定の出力用紙サイズで用紙混載（「Ａ４とＡ３」など）を設定すると、その設定は章属性に継承され、章内に２種類の用紙サイズを持つことが出来るようになる。
【００７８】
ただし、例外設定、つまり、前述したように、章の属性として、各設定をＢｏｏｋに合わせると設定されている場合は、ブック属性３０１が変更されたとしても、章属性（２）３０２Ｂと、この章属性３０２Ｂの下層のページはそのブック属性の３０１の変更が影響されないようにもできる。このために、図１７のチェックボックス１７０２〜１７０４が設けられており、このチェックを外すことで、当該章についてブックの設定と独立して章属性の設定が行える。この場合には、ページの設定に関わりなく、出力用紙サイズとして用紙混載（「Ａ４とＡ３」など）を設定できる。
【００７９】
上記のように、文書（ブック）のページ設定において、所定の組み合わせの用紙サイズが設定されて、複数の用紙サイズが混載されることが想定されており、かつ、章の詳細設定において、「出力用紙に関する設定をブックに合わせる」旨の選択がされている場合、製本アプリケーション１０４では、章のページ設定において出力用紙サイズとして「Ａ４とＡ３」のようにブック属性と同じ設定がされる。この設定は、後述する製本アプリケーション１０４の処理においては、「自動判断」処理される。すなわち、章属性の出力用紙サイズの設定値として原稿混在たとえば「Ａ４とＡ３」などの設定値が入力された場合、入力値に合わせたブックファイルの属性の再設定処理や、設定された章の出力処理において、原稿ページデータの用紙サイズを自動的に判断する「自動判断機能」が動作する。製本アプリケーション１０４は、出力用紙サイズの自動判断機能により、章内に２種類の出力用紙サイズの混載が許容されているとき、実際の原稿サイズが指定された２種類の出力用紙サイズと異なっている場合にも、当該章に含まれる原稿ページをどちらのサイズで出力（印刷）またはプレビューするかを自動的に判断することができる。
【００８０】
入力された原稿ページデータの用紙サイズが、出力用紙サイズとして設定された複数の用紙サイズのなかの１つに該当する場合は、そのまま原稿ページデータの用紙サイズが選択される。しかし、原稿ページデータのサイズが、設定された複数の用紙サイズのいずれでもない場合には、自動的にいずれかの用紙サイズに合わせて拡大縮小処理が行われる。たとえば、ブックの用紙サイズが「Ａ４とＡ３」であり、読み込まれた原稿ページデータがＡ４であれば、その原稿ページデータの出力用紙サイズは「Ａ４」であり、その場合原稿ページデータはＡ４サイズで出力される。
【００８１】
自動判断の基準にはいくつか取り得るものがあり、自動判断の基準の例として、本実施形態では以下４つを示す。（１）対象原稿ページのサイズが大きい方の出力用紙サイズと同じ場合は大きい方の用紙サイズを適用する。（２）対象原稿の縦および横のサイズがＢ４サイズ以上の場合は大きい方の用紙サイズを適用する。（３）出力用紙サイズの指定がリーガル用紙とリーガル用紙より小さいサイズであり、対象原稿の縦および横のサイズがリーガル用紙以上であった場合は大きい方の用紙サイズを適用する。（４）上記のいずれにも当てはまらない用紙サイズであった場合は小さい方の用紙サイズを適用する。
【００８２】
＜用紙サイズの変更処理＞
上記判断基準を基に、ページの用紙サイズ及び、追加されたページの用紙サイズを自動で設定し、表示及び出力を行う。用紙混在の自動判定においてのフローを図１８に示す。もちろん判断の基準はこれに限られず、他の方法も取り得る。
【００８３】
図１８は、製本アプリケーション１０４で、既に開かれているブックファイルの出力用紙サイズを変更した場合の用紙サイズの判定処理を説明するためのフローチャートである。既に開かれているブックファイルは、予めブックファイルのブック属性等で出力用紙サイズが設定されている。例えば、原稿ページデータが複数の用紙サイズの混載原稿であったとしても、ブック属性の出力用紙サイズとしてＡ４サイズが設定されている場合は、原稿ページデータはＡ４用紙サイズに自動的に拡大縮小処理されてプレビュー画像が生成されている。これは、「原稿を出力用紙サイズに合わせて拡大／縮小する」オプションが図１６などでチェックされ、ブック属性や章属性の用紙設定にその旨が設定されている場合である。
【００８４】
まずステップＳ１８０１において、製本アプリケーション１０４のメニュー操作により開かれるブック属性を設定するためのダイアログ（図１６または図２０）からユーザにより出力用紙サイズの変更が指示されると、製本アプリケーション１０４は、指示された出力用紙サイズをメモリに図４に示したブック属性として格納する。
【００８５】
ステップＳ１８０２において、章属性を設定するためのダイアログ（図１７）からユーザにより章の出力用紙サイズの変更が指示されると、製本アプリケーション１０４は、指示された出力用紙サイズをメモリに図５に示した章属性として格納する。なお、ステップＳ１８０１とＳ１８０２のいずれかがスキップされる場合もあり得る。
【００８６】
続いてステップＳ１８０３において、製本アプリケーション１０４は、ブック属性および章属性に用紙混載が設定されているかを判断する。すなわち、ブック属性に所定の組み合わせの用紙サイズの混載（「Ａ４とＡ３」など、上述した特定の組み合わせが設定されていることを単に「用紙混載」と呼ぶことにする。）が設定されており、かつ、章属性にも同じ設定が与えられているかが判断される。所定の組み合わせの用紙サイズの混載が設定されている、つまり、ブック属性および章属性で所定の組み合わせの用紙サイズの混載が設定されていると判断された場合は、ステップＳ１８０４に処理を進め、所定の組み合わせの用紙サイズの混載が設定されていないと判断された場合は、ステップＳ１８０５に処理を進める。
【００８７】
ステップＳ１８０５において、製本アプリケーション１０４は、原稿ページデータ毎に、章属性として設定された出力用紙サイズに合わせて原稿ページデータを設定し、必要に応じて拡大縮小処理を行う。もちろん章属性がブック属性を継承する場合にはブック属性に合わせて設定される。例えば、ブック属性として用紙混載が設定されていても、章属性に固定用紙サイズが設定されている場合は、固定用紙サイズが設定されている章の原稿ページデータは固定用紙サイズに自動的に変倍される。また、章属性に「原稿サイズと同じ」が設定されている場合には、原稿サイズを図３の原稿データを直接参照することで認識し、その原稿サイズがそのまま出力用紙サイズとして設定され、変倍処理は行われない。
【００８８】
一方、ブック属性に合わせると章属性で設定されている章は、章属性の出力用紙サイズの設定も「所定の組み合わせの用紙サイズの混載」であるために、自動判定処理が行われる。この場合ステップＳ１８０４に処理を進めることになる。
【００８９】
ステップＳ１８０４において、製本アプリケーション１０４は、現在の章内の原稿ページデータの原稿ページサイズを確認する。原稿ページデータは、図３で説明したように原稿サイズで保持されているため、容易に用紙サイズの確認が行える。たとえばＰＤＦ等のページ単位のデータであれば、そのサイズ情報が原稿ページデータに添付されているし、また、画像データそのものであったとしても、そのサイズは縦横のドット数と、画像データが属性として保持している解像度とから判定できる。Ｊｐｅｇ画像やビットマップ画像の各フォーマットには、ファイルのプロパティに解像度の情報が保持されているが、もし解像度の情報が保持されていない場合には、例えば７２ｄｐｉのようにデフォルトの解像度として判定される。そして、ステップＳ１８０５において、製本アプリケーション１０４は、確認した原稿ページデータの用紙サイズが、章属性で設定されている用紙混載の出力用紙サイズのいずれに一致するかを判定する。ここで、原稿ページデータの用紙サイズが用紙混載の出力用紙サイズのいずれにも一致しない場合は、前述した４つの条件を考慮することで自動的に出力用紙サイズが判断される。そして、ステップＳ１８０６において、製本アプリケーション１０４は、判断された出力用紙サイズを原稿ページの用紙サイズとして設定し、必要に応じて拡大縮小処理を行う。
【００９０】
そして、ステップＳ１８０７において、出力用紙サイズに設定された原稿ページデータを読み出して、必要に応じて変倍処理された原稿ページデータのプレビュー表示を行う。
【００９１】
ステップＳ１８０２以降の処理は章ごとに行われることになる。そのため、ステップＳ１８０９では、注目章（処理対象の章）が文書の最後の章であるか判定し、最後の章でなければ、ステップＳ１８０２にもどる。また、注目章においては、ステップＳ１８０４〜Ｓ１８０７は、原稿ページ分繰り返して実行される。
【００９２】
このようにして生成されたプレビュー画像が表示され、同一章内における用紙サイズの混載設定がされている場合の製本アプリケーションのユーザインターフェースを図１４に示す。
【００９３】
なお、出力用紙サイズが「原稿サイズと同じ」設定になっている場合にも、ステップＳ１８０３からステップＳ１８０４に進む。この場合、ステップＳ１８０６決定される出力用紙サイズは、原稿ページサイズとおおむね同じサイズに決められる。
【００９４】
図１８は設定変更の場合の処理であるが、新たにブックファイルを開く場合にも、ブック属性及び章属性の出力用紙サイズの設定が混載か否かが章ごとに判断され、ステップＳ１８０３〜ステップＳ１８０９（ただしステップＳ１８０４は除く。）の処理が行われる。
【００９５】
また、文書の印刷を行う場合にも、同様の処理が行われる。ただし、ステップＳ１８０８では、プレビュー表示の代わりに印刷のための出力処理が行われる。ただし、印刷の場合には、ステープルやＺ折りといったフィニッシャの機能が指定されている場合には、それらの命令を含めてプリンタに印刷データを送信する必要がある。
【００９６】
＜インポート処理＞
本発明に係る製本アプリケーション１０４は、用紙混載設定を印刷時に適用される印刷設定と合わせてテンプレートとして保存し（例えばＡ４とＡ３Ｚ折り）、管理することが可能になっている。このように所定の組み合わせの用紙サイズの用紙混載設定を印刷設定と合わせてテンプレートで管理することにより、新規に任意のアプリケーションで生成されたページサイズが混載されているような文書データを、製本アプリケーション１０４にドラッグアンドドロップ操作することでインポートした場合に、このテンプレートを適用したブックファイルが自動的に生成され、テンプレートで指定される用紙混載の用紙サイズで各原稿ページが自動的に設定されることが可能となる。図１９に新規ファイルのインポート時に原稿サイズに合わせて章内の用紙混在設定を行う際のフローチャートを示す。
【００９７】
ステップＳ１９０１において、新規にファイルのインポートの操作がされると、ステップＳ１９０２において図２１の画面が表示される。この画面は一例であるが、テンプレート一覧２１０１に、利用可能なテンプレートのシンボルが表示される。この中には、「Ａ４とＡ３両面ステープル」２１０３や「Ａ４とＡ３両面２ページ／枚」２１０２といった、所定の組み合わせの用紙サイズの混載のテンプレートも含まれている。利用者はこのシンボルの中から、所望のテンプレート選択する（Ｓ１９０３）。テンプレートには、予め文書属性が設定されており、原稿ページデータのインポートにより作成される文書においては、その文書属性にしたがって章属性やページ属性が設定される。たとえば、「Ａ４とＡ３両面ステープル」のテンプレートについては、その図４に示す文書属性において、出力用紙サイズとして「Ａ４とＡ３」が設定されており、印刷方法として「両面」が、排紙方法として「ステープル」が予め設定されている。また、章属性やページ属性に対して文書属性から継承可能な設定は継承される（すなわち、章やページについて例外設定が可能な項目についても設定をブックに合わせる旨の設定がされる）。
【００９８】
ステップＳ１９０４では、インポートされる原稿ページデータに含まれるサイズ情報、または、画像データのサイズを参照して、インポートされる原稿ページデータのサイズを獲得する。そして、図１９は、出力用紙サイズが所定の組み合わせの用紙サイズの原稿混在の設定となっている場合の手順であるため、ステップＳ１９０５において、インポートされた原稿ページに対応する出力用紙サイズが決定される。この基準は図１８で説明したとおりである。そして、ステップＳ１９０６において、決定された出力用紙サイズを、プレビュー表示用の用紙サイズとして設定する。最後に、ステップＳ１９０７において、文書のプレビュー表示が行われる。ここで、ステップＳ１９０４〜Ｓ１９０６は、インポートされる原稿ページごとに繰返し行われる。
【００９９】
なお、出力（印刷およびプレビュー表示）する際に、両面の表裏でサイズが異なるようになる場合には、白紙ページが挿入される。たとえば、両面印刷設定がされている場合には、原稿ページ数が奇数であれば、１ページ分の白紙が裏面に挿入される。
【０１００】
図１５は同一章内での所定の組み合わせの用紙サイズの用紙混載設定がされている場合において、 両面印刷への切替えを示すものである。１アップ（１イン１、すなわち１つの面に１原稿ページを配した配置）時に、両面印刷にしたときに表面と裏面の用紙サイズが異なるような状態になる場合、白紙ページが挿入されるか、あるいは自動で用紙替えを行い、同じ用紙に異なる用紙サイズが配置されないようにする。図１５上段においては、両面設定時に表面と裏面の原稿ページの出力用紙サイズが同一のため、用紙Ａが表、用紙Ｂが裏のように設定されている。これに対して、下段では、表面と裏面の用紙サイズが異なってしまうため、用紙Ａの裏面には白紙が挿入される。尚、本実施形態で示したフローチャートにおいて、その前後は処理が未完成にならない限り入れ替えることが可能である。この処理が図１９のステップＳ１９０７で行われる。印刷の場合にも同様である。
【０１０１】
図２２は、製本アプリケーション１０４で予めブックファイルに対する出力先のプリンタを選択するためのダイアログである。このダイアログは、製本アプリケーション１０４のメニューから「プリンタ選択」を指示することで表示される。プリンタ名のプルダウンメニューは、ホストコンピュータにインストールされているすべてのプリンタドライバが出力先の候補としてリスト表示される。
【０１０２】
＜プリンタ機能への対応＞
以上の手順はプリンタの機能と無関係に行われても良いが、その場合オペレータがプリンタの有する機能を把握しておいて、あるいは試行錯誤的に、文書の各階層の属性設定を行う必要がある。これに対して、プリンタの有する機能を製本アプリケーション１０４において把握できれば、文書の属性設定の可否が製本アプリケーション１０４によって判定できる。
【０１０３】
ユーザは任意にプリンタを選択することが可能であるが、製本アプリケーション１０４は、選択されたプリンタのプリンタドライバの機能をＯＳを介して取得することができる。これは、製本アプリケーション１０４が、プリンタドライバの設定値が格納されている構造体であるＤＥＶＭＯＤＥをＯＳからＡＰＩを用いて取得してもよいし、ＸＭＬのような印刷設定項目を列挙したファイルを用いてＯＳから取得してもよい。製本アプリケーション１０４は、ユーザにより選択されたプリンタのプリンタドライバから取得したプリンタの機能情報を参照し、サポートしている用紙サイズを認識することができる。そして、製本アプリケーション１０４は、認識したサポート用紙サイズが、前述した用紙混載の組み合わせを満たすかを判断し、満たすと判断された場合に、ブック属性および章属性で、出力用紙サイズとして、所定の組み合わせの用紙サイズの用紙混載の各項目値を選択することが可能なように、図２０に示すプルダウンメニューの項目値を切り替える。例えば、製本アプリケーション１０４がＯＳを介して取得したプリンタ機能情報を参照し、対象プリンタがＡ４、Ａ３をサポートしているが、Ｂ５，レターをサポートしていないと判断された場合には、図２０のプルダウンメニューとして、所定の組み合わせの用紙サイズの用紙混載では、「Ａ４とＡ３」のみ項目値として表示させ、他の所定の組み合わせの用紙サイズの用紙混載の項目値は選択できないように表示状態を切り替える。
【０１０４】
以上のようにして、本実施形態の製本アプリケーションおよび文書処理システムは、文書を構成する単位である章に、相異なる複数通りの出力用紙サイズを含める設定をすることができる。そして、相異なるサイズの用紙を一つの章として統一された印刷設定を施すことができる。また、データ処理時にもひとつのまとまりとして扱うことができ、操作性も向上する。
【０１０５】
［コンピュータへの拡張］
また、本発明は、複数の機器(例えばホストコンピュータ、インタフェース機器、リーダ、プリンタなど)から構成されるシステムに適用しても、一つの機器からなる装置（複写機、プリンタ、ファクシミリ装置など）に適用してもよい。
【０１０６】
また、本発明の目的は、前述した実施形態の機能を実現するソフトウェアのプログラムコードを記憶した記憶媒体を、システムあるいは装置のコンピュータ（またはＣＰＵやＭＰＵ）が記憶媒体に格納されたプログラムコードを読出し実行することによっても、達成される。この場合、記憶媒体から読み出されたプログラムコード自体が前述した実施形態の機能を実現することになり、そのプログラムコードを記憶した記憶媒体は本発明を構成することになる。
【０１０７】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１０８】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【０１０９】
さらに、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【０１１０】
【図１】本発明の実施の形態に係るスタンドアロン型の文書処理システムの構成を説明するためのブロック図である。
【図２】本実施の形態に係る文書処理システムを実現するホストコンピュータの構成を示すブロック図である。
【図３】本実施の形態に係るブックファイルの構造の一例を示す図で、図３（Ａ）はブックファイルの形式の一例を模式的に示す図、図３（Ｂ）は原稿データの構成を示す図である。
【図４】本実施の形態に係るブック属性の一例を示す図である。
【図５】本実施の形態に係る章属性の一例を示す図である。
【図６】本実施の形態に係るページ属性の一例を示す図である。
【図７】本実施の形態に係る文書処理システムにおけるブックファイルを開く手順を説明するフローチャートである。
【図８】本実施の形態に係る文書処理システムにおける、電子原稿ファイルをブックファイルにインポートする手順を説明するフローチャートである。
【図９】本実施の形態に係る文書処理システムによるアプリケーションデータを電子原稿ファイルに変換する手順を示すフローチャートである。
【図１０】既存のブックファイルを開いた際のユーザインターフェース画面の一例を示す図である。
【図１１】新規のブックファイルを開いた際のユーザインターフェース画面の一例を示す図である。
【図１２】本実施の形態に係る文書処理システムに係るクライアントサーバ型の文書処理システムのブロック図である。
【図１３】ステイプル制御システムの構成を示すブロック図である。
【図１４】同一章内における用紙サイズの混載設定がされている場合の製本アプリケーションのユーザインターフェース画面の一例を示す図である。
【図１５】同一章内での用紙混載設定がされている場合において、 両面印刷への切替えを示す図である。
【図１６】文書の詳細設定を行うユーザインターフェースの一例を示す図である。
【図１７】章の詳細設定を行うユーザインターフェースの一例を示す図である。
【図１８】本実施の形態に係る文書処理システムにおける章内用紙混載を設定する手順を示すフローチャートである。
【図１９】本実施の形態に係る文書処理システムにおける新規ファイルをインポート時に用紙混載テンプレートを適用し、用紙サイズを自動設定する手順を示すフローチャートである。
【図２０】章の詳細設定のためのユーザインターフェースの一例を示す図である。
【図２１】インポート時のテンプレート一覧ウインドウの一例を示す図である。
【図２２】プリンタの指定のウインドウの一例を示す図である。
【図１】
2005149212.tif 000003
【図２】
2005149212.tif 000004
【図３】
2005149212.tif 000005
【図４】
2005149212.tif 000006
【図５】
2005149212.tif 000007
【図６】
2005149212.tif 000008
【図７】
2005149212.tif 000009
【図８】
2005149212.tif 000010
【図９】
2005149212.tif 000011
【図１０】
2005149212.tif 000012
【図１１】
2005149212.tif 000013
【図１２】
2005149212.tif 000014
【図１３】
2005149212.tif 000015
【図１５】
2005149212.tif 000016
【図１８】
2005149212.tif 000017
【図１９】
2005149212.tif 000018
【図１４】
2005149212.tif 000019
【図１６】
2005149212.tif 000020
【図１７】
2005149212.tif 000021
【図２０】
2005149212.tif 000022
【図２１】
2005149212.tif 000023
【図２２】
2005149212.tif 000024